(57)【要約】【課題】屋根に立て掛けたときに軒先及び樋を変形損傷することのないはしごを提供する。【解決手段】はしご１における支柱９に案内支持されて上下動自在なスライダ１３に、屋根１７上に載置可能な屋根載置部材１９を備え、この屋根載置部材１９の下面に、軒先端２１に当接可能なストッパ２３を備え、かつ前記スライダ１３を、前記支柱９に沿って上下動するためのスライダ上下動手段２５を備えており、前記屋根載置部材１９に、屋根に備えた固定部へ連結自在な連結具を備えている。【選択図】図２
2009041218.tif 000002
【特許請求の範囲】
【請求項１】
はしごにおける支柱に案内支持されて上下動自在なスライダに、屋根上に載置可能な屋根載置部材を備え、この屋根載置部材の下面に、軒先端に当接可能なストッパを備え、かつ前記スライダを、前記支柱に沿って上下動するためのスライダ上下動手段を備えていることを特徴とするはしご。
【請求項２】
上はしごと下はしごとを備えて伸縮可能なはしごであって、前記上はしごの上端側に、屋根上に載置可能な屋根載置部材を一体的に備え、この屋根載置部材の下面に、軒先端に当接可能なストッパを備えていることを特徴とするはしご。
【請求項３】
請求項１又は２に記載のはしごにおいて、前記屋根載置部材に、屋根に備えた固定部へ連結自在な連結具を備えていることを特徴とするはしご。
【請求項４】
屋根にはしごを立て掛ける際に軒先の樋を保護するための樋保護具であって、はしごにおける支柱に移動自在に係合する摺動係合部を両側に備えたスライダを備え、このスライダに、屋根上に載置可能な屋根載置部を備え、この屋根載置部の下面に、軒先端に当接可能なストッパを備えていることを特徴とする樋保護具。
【発明の詳細な説明】
【技術分野】
【０００１】
本発明は、低層住宅における屋根にかけるはしご及びはしごを掛ける際に、屋根の軒先に設けられた雨樋を保護するための樋保護具に関する。
【背景技術】
【０００２】
低層住宅の屋根に登る場合、一般的にはしごが使用されている。この際、はしごは屋根の軒先に当接して立て掛けるものであるから、屋根の軒先に設けられている雨樋にはしごが当接し、雨樋を変形損傷することがある。そこで、はしごを屋根に掛けるとき、雨樋を保護するための保護具が提案されている（例えば特許文献１参照）。
【特許文献１】実開平６−７１８９８号公報
【発明の開示】
【発明が解決しようとする課題】
【０００３】
前記特許文献１に記載の保護具１００は、図４に示すように、屋根１０１の上面に載置自在な係止片１０３に、下端部に円筒部１０５を備えたＬ状の取付片１０７を備え、かつ梯子１０９を側止めする側止用突片１１１を両側に備えた基片１１３を前記係止片１０３に一体的に備えた構成である。
【０００４】
前記保護具１００の使用に際しては、前記係止片１０３を屋根１０１上に載置し、かつ円筒部１０５を樋１１５の内部に当接するように予め取り付け、その後に梯子１０９を側止用突片１１１の間の部分にかけるものである。そして、梯子１０９を掛けたときの梯子１０９の重みは、屋根１０１に載置した係止片１０３と樋１１５の内側部に当接した円筒部１０５によって支えるものである。
【０００５】
上記構成によれば、梯子１０９が樋１１５に直接当接することはないので、樋１１５が変形されるようなことはないものの、屋根１０１に対する保護具１００を予め取り付けるときには、梯子１０９は使用することができないものであり、この点において問題がある。また、円筒部１０５が樋１１５の内側部に当接する構成であることにより、例えば樋１１５の修繕時には使用することが難しいという問題がある。
【課題を解決するための手段】
【０００６】
本発明は、前述のごとき問題に鑑みてなされたもので、はしごにおける支柱に案内支持されて上下動自在なスライダに、屋根上に載置可能な屋根載置部材を備え、この屋根載置部材の下面に、軒先端に当接可能なストッパを備え、かつ前記スライダを、前記支柱に沿って上下動するためのスライダ上下動手段を備えていることを特徴とするものである。
【０００７】
また、上はしごと下はしごとを備えて伸縮可能なはしごであって、前記上はしごの上端側に、屋根上に載置可能な屋根載置部材を一体的に備え、この屋根載置部材の下面に、軒先端に当接可能なストッパを備えていることを特徴とするものである。
【０００８】
また、前記はしごにおいて、前記屋根載置部材に、屋根に備えた固定部へ連結自在な連結具を備えていることを特徴とするものである。
【０００９】
また、屋根にはしごを立て掛ける際に軒先の樋を保護するための樋保護具であって、はしごにおける支柱に移動自在に係合する摺動係合部を両側に備えたスライダを備え、このスライダに、屋根上に載置可能な屋根載置部を備え、この屋根載置部の下面に、軒先端に当接可能なストッパを備えていることを特徴とするものである。
【発明の効果】
【００１０】
本発明によれば、はしごを軒先に立て掛けるときに、はしごの支柱に沿って前記軒先よりも高く上昇させておいたスライダを下降し、スライダに備えた屋根載置部材を屋根上に載置し、かつ前記屋根載置部材の下面に備えたストッパを軒先端に当接することによってスライダが屋根に取付けられた状態となり、はしごはこのスライダを介して軒先に立てかけることになる。したがって軒先及び樋にはしごが直接当接するようなことがなく、軒先及び樋の保護を図ることができるものである。
【発明を実施するための最良の形態】
【００１１】
図１に概念的，概略的に示すように、本発明の実施形態に係るはしご１は、滑り止め用の脚具３を下端部に備えた下はしご５と、この下はしご５に伸縮可能に支持された上はしご７とを備えている。上記上はしご７及び下はしご５は、左右両側の長い支柱９の間に踏棧１１を適宜間隔に備えている。なお、この種のはしご１は公知であるから、はしご１のさらに詳細な構成及びその作用についての説明は省略する。
【００１２】
前記はしご１を屋根に立て掛けるとき、樋を変形損傷することなく立て掛けることのできる樋保護具１２がはしご１に備えられている。より詳細には、前記上はしご７における両側の支柱９には、スライダ１３が上下動自在に案内支持されている。前記樋保護具１２における上記スライダ１３は両側の前記支柱９の間隔寸法にほぼ等しい長さであって、このスライダ１３の長手方向（左右方向）の両側部には、前記支柱９の左右方向の外方から前記支柱９の一部を抱き込む態様でもって支柱９に摺動自在に係合した係合摺動部１５が備えられている。
【００１３】
さらに、前記スライダ１３には、図２に示すように、屋根上に載置可能な板状の屋根載置部材（屋根載置部）１９が備えられており、この屋根載置部材１９の下面には、前記屋根１７における軒先端２１に当接可能なストッパ２３を備えている。前記樋保護具１２における前記屋根載置部材１９を屋根１７上に載置したとき、屋根１７に対して屋根載置部材１９が面接触するように、前記係合摺動部１５と支柱９との係合部には、支柱９の長手方向に対して直交する方向すなわち前記踏棧１１の長手方向の軸心回りのスライダ１３の多少の回動を許容する遊隙（間隙）が設けられている。
【００１４】
したがって、はしご１の傾斜角が変化することによって、屋根１７とはしご１とのなす角度が多少変化する場合であっても、前記屋根載置部材１９を屋根１７に対して常に面接触状態に載置することができ、屋根１７に対する応力集中を回避することができるものである。
【００１５】
前記はしご１における支柱９に沿って前記樋保護具１２を上下動するためのスライダ上下動手段２５が備えられている。より詳細には、はしご１における最上部の踏棧１１には滑車２７が取付けてあり、この滑車２７に掛回したロープ２９の一端部は前記スライダ１３に連結してあり、ロープ２９の他端部は、はしご１の下端部付近に延設してある。
【００１６】
したがって、ロープ２９の他端部側を引っ張ることにより、樋保護具１２におけるスライダ１３をはしご１の支柱９に沿って上方向へ移動することができ、前記ロープ２９の引っ張りを緩めることにより、スライダ１３は支柱９に沿って自重により下降するものである。すなわち、ロープ２９を操作することにより、樋保護具１２を上下動することができるものである。
【００１７】
そして、ロープ２９の一部をはしご１の適宜位置へ結び固定することにより、前記樋保護具１２を適宜高さ位置に固定することができるものである。
【００１８】
以上のごとき構成において、はしご１を屋根１７に立て掛ける場合、前記ロープ２９を操作して前記樋保護具１２を、屋根１７の軒先よりも多少高い位置に予め上昇しておき、はしご１を前記軒先に立て掛けるとき、前記樋保護具１２を下降して前記屋根載置部材１９を軒先の上面に載置し、はしご１を立て掛けると、屋根載置部材１９の下面に備えたストッパ２３が軒先端２１に当接する。このように、前記屋根載置部材１９が軒先上に載置され、ストッパ２３が軒先端２１に当接したとき、はしご１における支柱９はスライダ１３を介在した状態において屋根１７に立て掛けられるものであり、軒先端２１の下側に設けてある樋３１から離れた状態にある。
【００１９】
したがって、はしご１を屋根１７に立て掛けたとき、軒先端２１や前記樋３１を変形損傷するようなことがないものである。また、はしご１が樋３１に接触するとこなく離れた状態にあるので、樋３１の修繕に際しても何等の問題を生じることなく容易に修繕することができるものである。
【００２０】
前記構成より理解されるように、屋根１７に対するはしご１の立て掛け位置を変更する場合には、樋保護具１２もはしご１と一体的に移動することができるので、屋根１７に対するはしご１の立て掛け位置を所望の位置にすることができるものである。
【００２１】
ところで、本発明は、前述したごとき実施形態のみに限るものではなく、適宜の変更を行うことにより、他の構成でもって実施可能である。すなわち、前記説明においては、上はしごと下はしごを備えて伸縮自在なはしごの場合について説明したが、伸縮することのないはしごにも実施可能である。また、はしご１を屋根１７に立て掛けたときの安全性の向上を図るために、屋根１７に備えられた雪止めなどの固定部に対して前記樋保護具１２を連結固定するための、例えばチェーン，ロープ等の連結具を、樋保護具１２の一部であるスライダ１３，屋根載置部材１９等に備えていることが望ましいものである。
【００２２】
また、前記構成においては、はしご１に対して樋保護具１２が上下動する構成の場合について説明したが、上はしごと下はしごとを備えて伸縮自在なはしごの場合には、上はしごの上端側に樋保護具１２を一体的に備えた構成とすることもできる。
【図面の簡単な説明】
【００２３】
【図１】本発明の実施形態に係るはしごの全体的構成を概念的，概略的に示した斜視説明図である。
【図２】はしごを軒先に立て掛けた状態を示す説明図である。
【図３】樋保護具と軒先との関係を示す説明図である。
【図４】従来の保護具の説明図である。
【符号の説明】
【００２４】
１    はしご
９    支柱
１２    樋保護具
１３    スライダ
１５    係合摺動部
１７    屋根
１９    屋根載置部材
２１    軒先端
２３    ストッパ
２５    スライダ上下動手段
２７    滑車
２９    ロープ
３１    樋
【図１】
2009041218.tif 000003
【図２】
2009041218.tif 000004
【図３】
2009041218.tif 000005
【図４】
2009041218.tif 000006